【手続補正書】
【提出日】平成29年6月16日(2017.6.16)
【手続補正１】
【補正対象書類名】特許請求の範囲
【補正対象項目名】全文
【補正方法】変更
【補正の内容】
【特許請求の範囲】
【請求項１】
保湿用の空気を吹きだす吹出口を有した本体と、
前記本体内部に設けられ、前記保湿用空気のための蒸気を発生させる蒸気発生部と、
前記蒸気発生部の蒸気を前記吹出口から室内へ吹き出す気流を生成する電動送風機と、
前記蒸気発生部と前記電動送風機を制御する制御部と、
前記本体の外部から前記制御部に対して運転条件を入力する操作部と、
前記操作部の入力結果を表示する表示部と、
外部の情報通信端末機器と近距離無線通信を行うための通信部と、
を備えた保湿用空気供給機において、
保湿運転を決定する運転プログラムを記憶させる記憶部と、
前記通信部を介して受け取った睡眠時間帯のデータを記憶する記憶部と、を備え、
前記制御部は、前記情報通信端末機器を前記通信部に接近させて当該情報通信端末機器から使用者の睡眠時間帯のデータを受け取ることができることを示す情報を前記表示部に表示させ、
前記制御部は、前記通信部を介して受け取った前記睡眠時間帯のデータを前記記憶部に記憶させ、
さらに前記操作部には、前記記憶部に記憶させた睡眠時間帯の中で、前記保湿運転が開始され、かつ終了するように保湿運転の運転時間の自動調節を前記制御部に指令する入力キーを設けたことを特徴とする保湿用空気供給機。
【請求項２】
前記入力キーから入力を行わずに、前記操作部から保湿運転の開始を指令した場合、前記制御部は、前記運転プログラムのための初期値として前記記憶部に記憶させてある所定の運転条件に基づいて所定の時間保湿運転することを特徴とする請求項１に記載の保湿用空気供給機。
【請求項３】
前記本体には、主電源スイッチを更に備え、
前記主電源スイッチを閉じて保湿運転を開始する前に、前記制御部は、前記記憶部に記憶させた睡眠時間のデータに基づく保湿運転を指令する前記入力キーと、使用者が任意に保湿時間を決定する手動入力キーとを、前記表示部に表示させることを特徴とする請求項１に記載の保湿用空気供給機。
【請求項４】
前記本体には、主電源スイッチを更に備え、
前記主電源スイッチを閉じて保湿運転を開始する前に、前記制御部は、前記記憶部に記憶させてある最新の睡眠時間を前記表示部に表示させることを特徴とする請求項１に記載の保湿用空気供給機。
【請求項５】
前記本体には、主電源スイッチと、
電力指令装置から空気調和機の運転情報に関する信号を受信する無線通信部と、を更に備え、
保湿運転期間中に、前記記憶部は前記電力指令装置から送信された信号を受信し、
前記主電源スイッチを使用者が閉じて保湿運転を開始する前に、前記制御部は、前記記憶部に記憶させてある最新の睡眠時間と、空気調和機の運転情報とを前記表示部に表示させることを特徴とする請求項１に記載の保湿用空気供給機。
【請求項６】
保湿用空気供給機と、
就寝者の睡眠時間を計測するため睡眠センサーからの生体情報を受信して睡眠状態を判定する睡眠判定部を有し、前記保湿用空気供給機との間で無線通信によってデータを授受する制御装置と、を備え、
前記保湿用空気供給機には、前記制御装置から送信された睡眠データを記憶する機器側記憶部と、保湿運転を制御する制御部と、を有し、
前記保湿用空気供給機の制御部は、前記制御装置から無線通信で受信した前記睡眠データに基づいて、当該睡眠時間帯の中で、前記保湿運転が開始され、かつ終了するように保湿運転のタイミングを合わせる動作プログラムを有していることを特徴とする保湿用空気供給制御システム。
【請求項７】
前記保湿用空気供給機には、前記制御部に対して運転条件を入力する機器側操作部と、前記機器側操作部の入力結果を表示する機器側表示部とを更に備え、
前記保湿用空気の供給前に、前記機器側操作部の操作により、機器側記憶部に蓄積した睡眠時間のデータを前記機器側表示部に表示させることを特徴とする請求項６に記載の保湿用空気供給制御システム。
【請求項８】
保湿用空気供給機を含む複数の家電機器と個々に通信を行い、それら家電機器を個々に制御して家庭内の総電力量を制御する電力指令装置と、
保湿用空気供給機と近距離無線通信するＮＦＣ通信部を備えた情報通信端末機器と、を備え、
前記電力指令装置には、就寝者の睡眠時間を計測するため睡眠センサーからの生体情報を受信して睡眠状態を判定する睡眠判定部と、睡眠判定部で取得した睡眠時間データを記憶する記憶装置と、を有し、
前記保湿用空気供給機には、前記ＮＦＣ通信部と通信状態が確立できる機器側通信部と、この機器側通信部から読み込まれたデータを記憶する機器側記憶部と、保湿運転を制御する制御部と、を有し、
前記情報通信端末機器は、前記電力指令装置の記憶装置に記憶された睡眠時間データを、前記ＮＦＣ通信部を介して読み出し、当該データを前記保湿用空気供給機の機器側記憶部に前記ＮＦＣ通信部を介して送信し、
前記保湿用空気供給機の制御部は、前記機器側通信部から受信した前記睡眠時間のデータを前記機器側記憶部に記憶させ、
さらに前記保湿用空気供給機の制御部は、前記機器側記憶部に記憶させた睡眠時間帯に、前記保湿運転の時間帯が重なるように保湿運転のタイミングを自動的に合わせることを特徴とする家電機器の運転管理システム。
【請求項９】
前記電力指令装置は、前記保湿用空気供給機を含む複数の家電機器ＥＥの個々の使用場所を示す位置情報と、家電機器が室内へ空気を循環させ、又は吹きだす空気調和機又は空気処理機であるかどうかを識別する識別情報とが、それぞれ登録されており、
前記保湿用空気供給機を使用する信号が前記電力指令装置に送信された場合、前記電力指令装置は、当該保湿用空気供給機を使用する居住空間に、空気調和機又は空気処理機が存在するかどうかを判定し、存在する場合には、当該空気調和機又は空気処理機の運転条件を制限する指令を当該空気調和機又は空気処理機に発信することを特徴とする請求項８に記載の家電機器の運転管理システム。
【請求項１０】
前記電力指令装置は、前記保湿用空気供給機を含む複数の家電機器の個々の使用場所を示す位置情報と、家電機器が室内へ空気を循環させ、又は吹きだす空気調和機又は空気処理機であるかどうかを識別する識別情報が登録されており、さらに空気調和機又は空気処理機を含む各家電機器からの運転情報を取得しており、
前記保湿用空気供給機を使用する信号が前記電力指令装置に送信された場合、前記電力指令装置は、当該保湿用空気供給機に対して、運転中の空気調和機又は空気処理機が存在するかどうかを判定し、存在する場合には、当該空気調和機又は空気処理機の運転条件を制限するよう、前記保湿用空気供給機に対して報知することを特徴とする請求項８に記載の家電機器の運転管理システム。
【請求項１１】
前記電力指令装置には、前記就寝者の居る居住空間の気温等の環境を計測する環境検知部を更に有し、
前記記憶装置には、前記睡眠判定部で取得した睡眠時間データと前記環境検知部から送信された環境データとが、対にして時系列で記憶されることを特徴とする請求項８に記載の家電機器の運転管理システム。
【請求項１２】
可搬式の保湿用空気供給機及び空気調和機を含む複数の家電機器と個々に通信を行い、それら家電機器を個々に制御する集中制御装置と、
前記集中制御装置と広域通信回路網を介して通信する第１の無線通信部と、近距離無線通信部を介して通信する第２の無線通信部と、を備えた情報通信端末機器と、
を備え、
前記集中制御装置には、就寝者の睡眠時間を計測するため睡眠センサーからの生体情報を受信して睡眠状態を判定する睡眠判定部と、前記就寝者の居る居住空間の気温等の環境を計測する環境検知部と、睡眠判定部で取得した睡眠時間データと前記環境検知部から送信された環境データとを、対にして時系列で記憶する記憶装置と、を有し、
前記保湿用空気供給機には、前記集中制御装置と通信状態が確立できる機器側通信部と、この機器側通信部から読み込まれたデータを記憶する機器側記憶部と、保湿運転の開始指令と運転条件を入力する操作部と、この操作部の入力結果を表示する表示部と、保湿運転を制御する制御部と、を有し、
前記保湿用空気供給機の制御部は、前記集中制御装置から送信された前記睡眠時間データを前記機器側記憶部に記憶させ、
さらに前記保湿用空気供給機の制御部は、前記機器側記憶部に記憶させた睡眠時間帯に、前記保湿運転の時間帯が重なるように保湿運転のタイミングを自動的に合わせる動作を行い、
前記保湿用空気供給機の制御部は、前記操作部の入力操作に応じて前記機器側記憶部に記憶させてある前記睡眠時間データと、当該睡眠時間の計測時に対応する環境データとを、前記表示部に表示させることを特徴とする家電機器の運転管理システム。
【手続補正２】
【補正対象書類名】明細書
【補正対象項目名】００１１
【補正方法】変更
【補正の内容】
【００１１】
第３の発明になる家電機器の運転管理システムは、
保湿用空気供給機を含む複数の家電機器ＥＥと個々に通信を行い、それら家電機器を個々に制御して家庭内の総電力量を制御する電力指令装置と、
保湿用空気供給機と近距離無線通信するＮＦＣ通信部を備えた情報通信端末機器と、を備え、
前記電力指令装置には、就寝者の睡眠時間を計測するため睡眠センサーからの生体情報を受信して睡眠状態を判定する睡眠判定部と、睡眠判定部で取得した睡眠時間データを記憶する記憶装置と、を有し、
前記保湿用空気供給機には、前記ＮＦＣ通信部と通信状態が確立できる機器側通信部と、この機器側通信部から読み込まれたデータを記憶する機器側記憶部と、保湿運転を制御する制御部と、を有し、
前記情報通信端末機器は、前記電力指令装置の記憶装置に記憶された睡眠時間データを、前記ＮＦＣ通信部を介して読み出し、当該データを前記保湿用空気供給機の機器側記憶部に前記ＮＦＣ通信部を介して送信し、
前記保湿用空気供給機の制御部は、前記機器側通信部から受信した前記睡眠時間のデータを前記機器側記憶部に記憶させ、
さらに前記保湿用空気供給機の制御部は、前記機器側記憶部に記憶させた睡眠時間帯に、前記保湿運転の時間帯が重なるように保湿運転のタイミングを自動的に合わせることを特徴とするものである。
【手続補正３】
【補正対象書類名】明細書
【補正対象項目名】００１３
【補正方法】変更
【補正の内容】
【００１３】
第４の発明になる家電機器の運転管理システムは、
可搬式の保湿用空気供給機及び空気調和機を含む複数の家電機器と個々に通信を行い、それら家電機器を個々に制御する集中制御装置と、
前記集中制御装置と広域通信回路網を介して通信する第１の無線通信部と、近距離無線通信部を介して通信する第２の無線通信部と、を備えた情報通信端末機器と、
を備え、
前記集中制御装置には、就寝者の睡眠時間を計測するため睡眠センサーからの生体情報を受信して睡眠状態を判定する睡眠判定部と、前記就寝者の居る居住空間の気温等の環境を計測する環境検知部と、睡眠判定部で取得した睡眠時間データと前記環境検知部から送信された環境データとを、対にして時系列で記憶する記憶装置と、を有し、
前記保湿用空気供給機には、前記集中制御装置と通信状態が確立できる機器側通信部と、この機器側通信部から読み込まれたデータを記憶する機器側記憶部と、運転の開始指令と運転条件を入力する操作部と、この操作部の入力結果を表示する表示部と、運転を制御する制御部と、を有し、
前記保湿用空気供給機の制御部は、前記集中制御装置から送信された前記睡眠時間データを前記機器側記憶部に記憶させ、
さらに前記保湿用空気供給機の制御部は、前記機器側記憶部に記憶させた睡眠時間帯に、前記保湿運転の時間帯が重なるように保湿運転のタイミングを自動的に合わせる動作を行い、
前記保湿用空気供給機の制御部は、前記操作部の入力操作に応じて前記機器側記憶部に記憶させてある前記睡眠時間データと、当該睡眠時間の計測時に対応する環境データとを、前記表示部に表示させることを特徴とするものである。
【手続補正４】
【補正対象書類名】明細書
【補正対象項目名】００３２
【補正方法】変更
【補正の内容】
【００３２】
本実施の形態１において、後述する保湿用空気供給機２０の「記憶装置」（記憶部）とは、特に明記ない限り、制御装置３３の記憶部３３ＲとＮＦＣ記憶部３１の一方又は両方をいうものとする。
【手続補正５】
【補正対象書類名】明細書
【補正対象項目名】００７４
【補正方法】変更
【補正の内容】
【００７４】
３６は、前記したように、３つの無線通信用の入出力部３０Ａ〜３０Ｃや、表示画面３７Ａを集中的に制御する制御部である。またこの制御部３６は、後述するように、家電機器ＥＥに対して、電力削減要請信号ＡＳ２、電力削減指令信号ＡＳ３の送信を指令する。保湿用空気供給機２０は、「第１の家電機器」ではないので、電力指令装置５の入出力部３０Ａから前記電力削減要請信号ＡＳ２、電力削減指令信号ＡＳ３を受信することはない。
【手続補正６】
【補正対象書類名】明細書
【補正対象項目名】００７６
【補正方法】変更
【補正の内容】
【００７６】
また制御部３６には、保湿用空気供給機２０の関係で専用の「第２の記憶部」となる第２のメモリー（図示せず）３６Ｂを保有しており、睡眠判定部２３によって取得された睡眠時間、時刻等の各種データやその解析結果の情報が、それを実際に取得した日付や時刻等の詳細情報と対になって時系列に記憶されている。
【手続補正７】
【補正対象書類名】明細書
【補正対象項目名】００７７
【補正方法】変更
【補正の内容】
【００７７】
さらに、この第２の記憶部３６Ｂには、保湿用空気供給機２０の保湿運転中において、保湿用空気供給機２０が使用された居住空間における環境情報又は環境データ（例えば、気温、湿度）が、その保湿運転時間と対になって時系列で記録される。例えば、入眠時刻が２３時１０分であった場合、それから１０分ごとに環境検知部９によって取得された気温と湿度の環境データが、その時刻情報と共に順次記憶され、睡眠時間帯が例えば２３時１０分から午前５時１０分までの６時間と確定した段階、その６時間平均の気温と湿度が制御部３６によって算出できるようになっている。従って環境データに基づく「環境快適度」等の「環境情報」の生成も可能となる。
【手続補正８】
【補正対象書類名】明細書
【補正対象項目名】００８５
【補正方法】変更
【補正の内容】
【００８５】
図３に示した表示盤３７の表示画面３７Ａでは、前記睡眠判定部２３が判定した睡眠時間関係のデータを、前記情報通信端末機器２５のＮＦＣ入出力部４０から読み出すことができる。つまり、仮に保湿用空気供給機２０と電力指令装置５の入出力部３０Ａとの間で、無線通信ができない状況（例えば一時的な通信障害）であっても、睡眠時間関係の情報の授受が行える。また情報通信端末機器２５で睡眠時間データが取得できることから、情報通信端末機器２５を家庭の外部に持ち出して、遠隔地でその睡眠時間のデータを専門家（例えば医師）に見て貰って質の良い睡眠の助言を得たり、そのデータを加工したりして、帰宅後に、保湿用空気供給機２０に読み込ませ、その夜の保湿運転の時間設定に利用するという便利な利用方法も可能となる。
【手続補正９】
【補正対象書類名】明細書
【補正対象項目名】００８６
【補正方法】変更
【補正の内容】
【００８６】
この実施の形態１でいうアイコンとは、前記した表示画面３７Ａや後述する保湿用空気供給機２０の表示画面１０１の上に表示され、特定の機能の選択が行われるものであり、図形だけではなく、文字でその特定機能を表現している場合も含む。そのアイコンにタッチすれば、そのアイコンに対応付けてある所定の入力が行える。
【手続補正１０】
【補正対象書類名】明細書
【補正対象項目名】０１０３
【補正方法】変更
【補正の内容】
【０１０３】
無線入出力部４１は、２つの入出力部から構成され、その１つは、前記広域通信回路網（通信ネットワーク）１６との間で所定の通信を行う無線入出力部４１Ａであり、他の１つは、前記電力指令装置５のＮＦＣ入出力部４０及び保湿用空気供給機２０のＮＦＣ入出力部６３との間で、それぞれ近距離無線通信する無線入出力部４１Ｂである。
【手続補正１１】
【補正対象書類名】明細書
【補正対象項目名】０２４１
【補正方法】変更
【補正の内容】
【０２４１】
また、空気調和機３が保湿運転期間中に運転されていたかどうかに関係なく、少なくとも前記運転情報信号Ｌ７からＬ９までの期間中、つまり実質的に保湿運転が行われていた期間中の平均気温、湿度等のデータを、制御部３６は保湿用空気供給機２０へ送信する。この平均気温等のデータは、環境検知部９から制御部３６が取得した環境データに基づく。すなわち、第２の記憶部３６Ｂには、保湿用空気供給機２０の保湿運転中に、その保湿用空気供給機２０が使用された居住空間の環境データ（例えば、気温、室温）が、その保湿運転時間と対になって時系列で記録されており、この環境データが居住者に利用されるようになっている。
【手続補正１２】
【補正対象書類名】明細書
【補正対象項目名】０２７７
【補正方法】変更
【補正の内容】
【０２７７】
この実施の形態３の保湿用空気供給機２０のように、ナノサイズのミストを放出する保湿用空気供給機２０も、実施の形態１で示した蒸気発生タイプの保湿用空気供給機２０も、使用者が就寝する場面で注意を払うべき対象は、その居住（就寝）空間全体の環境改善のために使用される空気調和機３の存在である。
【手続補正１３】
【補正対象書類名】明細書
【補正対象項目名】０３２７
【補正方法】変更
【補正の内容】
【０３２７】
また以上の実施の形態１〜４は、大気中での放電により空気から生成する正イオンと負イオンを同時に肌表面に照射して肌表面の水分量を増加させる方式の保湿用空気供給機にも同様に適用可能である。このような方式は、例えば、日本国特許公開２０１１−９８１８７号（特許第４７９００６８号）公報、同じく特許公開２０１１−２００７２２号（特許第５２８５７４９号）公報にて提案されている。
【手続補正１４】
【補正対象書類名】明細書
【補正対象項目名】０３２９
【補正方法】変更
【補正の内容】
【０３２９】
つまり、正イオンと負イオンを同時に肌表面に照射して肌表面の水分量を増加させる方式の保湿用空気供給機（先行技術文献では「美容器具」と称している）でも、正イオンと負イオンを含む空気を、使用者の顔の位置まで、所定のイオン濃度維持したまま、低速度で吹き付けることが必須である。このため、特に本発明の実施の形態３及び４のように、空気調和機３による高速風による悪影響を排除できる本発明は、このような正・負イオン方式においても高い効果が期待できる。